(57)【要約】【課題】光記録媒体のデータを消去する際の負担を軽減することができる新しい光記録媒体を提供する。【解決手段】基板１１上に有機色素記録層１２、光反射層１４が少なくとも積層されており、有機色素記録層１２に接して光触媒層１３が形成される光記録媒体。【選択図】図２
2010238307.tif 000002
【特許請求の範囲】
【請求項１】
基板上に有機色素記録層、光反射層が少なくとも積層されており、前記有機色素記録層に接して光触媒層が形成される光記録媒体。
【請求項２】
前記光触媒層は、短波長紫外線を当てることにより酸化作用を示す、請求項１に記載の光記録媒体。
【請求項３】
基板上に有機色素記録層、光反射層が少なくとも積層されており、前記有機色素記録層に接して光触媒層が形成される光記録媒体に記録された情報の消去装置であって、
前記光記録媒体に前記光触媒層が酸化作用を示す光を照射して前記有機色素記録層に記録された情報を消去する消去手段を有する消去装置。
【請求項４】
前記消去手段は、ユーザからの照射指示を受け付けて、前記光記録媒体に前記光を照射して前記有機色素記録層に記録された情報を消去する、請求項３に記載の消去装置。
【請求項５】
前記消去手段は、前記光記録媒体が規定回数読み取られた後、前記光記録媒体に前記光を照射して前記有機色素記録層に記録された情報を消去する、請求項３に記載の消去装置。
【請求項６】
基板上に有機色素記録層、光反射層が少なくとも積層されており、前記有機色素記録層に接して光触媒層が形成される光記録媒体に記録された情報の消去方法であって、
前記光記録媒体に前記光触媒層が酸化作用を示す光を照射する、
ことを含む消去方法。
【発明の詳細な説明】
【技術分野】
【０００１】
本開示は、光記録媒体、消去装置およびその消去方法に関する。
【背景技術】
【０００２】
従来より、文書、音楽、映像などのデータを記録して読み出す媒体として、ＣＤ、ＤＶＤ、ＢＤなどの光記録媒体（光ディスク）が利用されている。光記録媒体は、たとえば、光記録媒体に含まれる有機色素記録層を書き込み用のレーザ光で変形させるなどしてデータを記録し、読み取り用のレーザ光を有機色素記録層に当てて、反射してくる光の強弱でデータを読み取ることができる媒体である。
【０００３】
このような光記録媒体は、記録されたデータを長期間にわたり繰り返し読み取ることができる特性を有するため、個人データや企業データなどを記録するために広く利用されている。また、このような光記録媒体に音楽データや映像データなどのコンテンツを記録しておき、ユーザに該光記録媒体を貸し出すレンタルサービスも広く普及している。
【先行技術文献】
【特許文献】
【０００４】
【特許文献１】特開２００２−３０４７３６号公報
【発明の概要】
【発明が解決しようとする課題】
【０００５】
個人データや企業データを記録した光記録媒体を処分する場合、記録されたデータが漏洩しないよう、データを消去してから処分するのが一般的である。従来、光記録媒体に記録したデータを消去するには、データ書き込み装置で光記録媒体に無意味なデータを上書きする方法などが取られているが（たとえば、特許文献１参照）、記録されたデータを逐一上書きするのは煩雑で時間のかかる作業であり、利用者に負担を強いるものであった。
【０００６】
一方、レンタルサービスでは、貸し出した光記録媒体を回収することが前提となるが、利用者にとっては返送や返却のための手続が負担となり、レンタル業者にとっては、貸し出した光記録媒体の管理や、回収のための手続が負担となっていた。
【０００７】
そこで、光記録媒体のデータを消去する際の負担を軽減することが望まれる。また、コンテンツを記録した光記録媒体のレンタルサービスにおいて、光記録媒体の回収に伴う利用者やレンタル業者の負担を軽減することが望まれる。
【課題を解決するための手段】
【０００８】
本開示の光記録媒体は、基板上に有機色素記録層、光反射層が少なくとも積層されており、前記有機色素記録層に接して光触媒層が形成される。
【０００９】
また、本開示の光記録媒体は、前記光触媒層が、短波長紫外線を当てることにより酸化作用を示すことができる。
【００１０】
本開示の消去装置は、基板上に有機色素記録層、光反射層が少なくとも積層されており、前記有機色素記録層に接して光触媒層が形成される光記録媒体に記録された情報の消去装置であって、前記光記録媒体に前記光触媒層が酸化作用を示す光を照射して前記有機色素記録層に記録された情報を消去する消去手段を有する。
【００１１】
また、本開示の消去装置は、前記照射手段が、ユーザからの照射指示を受け付けて、前記光記録媒体に前記光を照射して前記有機色素記録層に記録された情報を消去する。
【００１２】
さらに、本開示の消去装置は、前記照射手段が、前記光記録媒体が規定回数読み取られた後、前記光記録媒体に前記光を照射して前記有機色素記録層に記録された情報を消去する。
【００１３】
本開示の消去方法は、基板上に有機色素記録層、光反射層が少なくとも積層されており、前記有機色素記録層に接して光触媒層が形成される光記録媒体に記録された情報の消去方法であって、前記光記録媒体に前記光触媒層が酸化作用を示す光を照射することを含む。
【図面の簡単な説明】
【００１４】
【図１】本実施形態に係る光記録媒体読取消去システム１００の概略構成を示すブロック図である。
【図２】本実施形態に係る光記録媒体１０の概略した断面図を示す。
【図３】本実施形態に係る光記録媒体の読取消去装置２０の概略構成を示すブロック図を示す。
【図４】本実施形態に係る光記録媒体の読取消去装置２０の動作方法におけるフローチャートの一例を示す。
【発明を実施するための形態】
【００１５】
以下、本開示を実施するための好適な実施形態を、図面を参照しながら説明する。本実施形態においては、光記録媒体として、コンパクトディスク（ＣＤ）を例にとって説明する。なお、各図面が示す部材の大きさや位置関係等は、説明を明確にするため誇張していることがある。
【００１６】
図１は、本開示の実施形態に係る光記録媒体読取消去システム１００の概略構成を示すブロック図である。
【００１７】
光記録媒体読取消去システム１００は、図１に示すように、ＣＤ１０と、ＣＤに記録されたデータを読み取る読取消去装置２０とを含む。
【００１８】
ＣＤ１０は、照射された光の反射光の変化によってデータ（情報）を読み取ることが可能な光ディスクである。本実施形態のＣＤ１０自体のサイズおよび厚さ、並びにデータの記録方式などについては、従来のＣＤと同様の規格、たとえば、いわゆるレッドブック、イエローブックなどの規格基準書に規定された内容に準拠したものとすることができるので、それらの詳細な説明は省略する。
【００１９】
ＣＤ１０は、図２に示すように、そのデータ記録領域において、基板１１の一面に、有機色素記録層１２、光触媒層１３、光反射層１４、保護層１５、および印刷層１６を積層して構成される。ＣＤ１０は、基板１１の有機色素記録層１２等が積層された面の反対側からレーザ光を照射することによって、有機色素記録層１２に記録されたデータを読み取ることができる。
【００２０】
基板１１は、ＣＤ１０の機械的強度を確保するための板であって、レーザ光を透過することが可能な円盤状の透明板である。なお、基板１１は、従来のＣＤにおける基板と同様の材質および厚さとすることができる。たとえば、基板１１の材料としては、ポリカーボネート系樹脂、アクリル系樹脂を用いることができる。
【００２１】
有機色素記録層１２は、基板１１上に形成された有機色素の記録層である。有機色素記録層１２は、書き込み用のレーザ光の照射による有機色素の変化を利用して、層の表面を凸凹形状とすることでデータ（情報）を記録することができる。なお、有機色素記録層１２は、従来のＣＤにおける有機色素記録層と同様の有機色素および厚さとすることができる。たとえば、有機色素（有機物）としては、たとえば、シアニン、フタロシアニン、アゾなどの色素を用いることができる。
【００２２】
光触媒層１３は、有機色素記録層１２に接して形成された光触媒の層（膜）である。光触媒として、たとえば、酸化チタン（ＴｉＯ2）を用いることができる。光触媒層１３は、紫外線などの光が照射されることによって酸化作用を示す。光触媒層１３が酸化作用を示すと、光触媒層１３に接する有機色素記録層１２に含む有機物は電子が奪われ、有機物の結合が分断される。その結果、有機色素記録層１２は、層の表面の凸凹形状が失われるため、有機色素記録層１２に記録されたデータが消失する。光触媒層１３の厚みは、その酸化作用によって有機色素記録層１２に記録されたデータを消失させることができるように、有機色素記録層１２の材質および厚みに応じて定めることができる。なお、光触媒は、酸化チタンに限られず、照射される光の種類に応じて適切な物質を用いることができる。
【００２３】
光反射層１４は、光触媒層１３の上に形成され、基板１１、有機色素記録層１２、および光触媒層１３を通して照射された特定の波長を有するレーザ光を反射する層である。なお、光反射層１４は、従来のＣＤにおける光反射層と同様の材質および厚さとすることができる。たとえば、光反射層１４の材質としては、たとえば、銀、アルミニウムなどの金属を用いることができる。
【００２４】
保護層１５は、有機色素記録層１２、光触媒層１３、および光反射層１４などの層を保護する層である。なお、保護層１５は、従来のＣＤにおける保護層と同様の材質および厚さとすることができる。たとえば、保護層１５の材料としては、上記の基板１１と同様、たとえば、ポリカーボネート系樹脂を用いることができる。
【００２５】
印刷層１６は、通常、レーベル面として利用されており、その表面に文字、記号、模様またはこれらの組合せ等が可視情報として印刷等により表示される。なお、印刷層１６は、従来のＣＤにおける印刷層と同様の材質および厚さとすることができる。なお、印刷層１６は、光記録媒体において省略することもできる。
【００２６】
読取消去装置２０は、その内部にＣＤ１０を取込こんで、ＣＤ１０に記録されたデータを読み出す機能と、ＣＤ１０に紫外線を照射し、ＣＤ１０に記録されたデータを消去する機能を有するものである。
【００２７】
読取消去装置２０は、図３に示すように、データの読み取り機能を実現するために、ＣＤ１０にレーザ光を照射する第１光照射系２１およびＣＤ１０を回転させるためのスピンドルモータ２２を有する。また、データの消去機能を実現するために、ＣＤ１０の表面に光触媒層１３が酸化作用を示す光を照射する第２光照射系２３を有する。読取消去装置２０は、さらに、第１光照射系２１、スピンドルモータ２２および第２光照射系２３をそれぞれ制御する制御手段２４（読取制御手段２４１，消去制御手段２４２）と、制御手段２４に対してユーザが操作指令を与える操作部２５とを有する。なお、本実施形態において、第１光照射系２１、スピンドルモータ２２および読取制御手段２４１で読取手段を構成し、また、第２光照射系２３および消去制御手段２４２で特許請求の範囲に記載する消去手段を構成する。
【００２８】
第１光照射系２１は、データ読み取り時に、ＣＤ１０にデータ読み取り用のレーザ光を照射するとともにＣＤ１０から反射された反射光を検出するものである。なお、第１光照射系２１は、従来のＣＤ読取装置（再生装置）の光照射系と同様の構成および機能とすることができるので、詳細な説明は省略する。
【００２９】
スピンドルモータ２２は、第１光照射系２１によってＣＤ１０のデータ記録領域から連続的にデータを読み取るために、ＣＤ１０を回転させるモータである。なお、スピンドルモータ２２は、従来のＣＤ読取装置のスピンドルモータと同様の構成および機能とすることができるので、詳細な説明は省略する。
【００３０】
第２光照射系２３は、データ消去時に、ＣＤ１０にデータ消去用の光を照射するものである。第２光照射系２３が照射するデータ消去用の光は、たとえば、光触媒層１３が酸化作用を示す短波長紫外線を用いることができる。短波長紫外線は、約２８０ｎｍ以下の紫外線であって、通常の地表に到達する太陽光には含まれない波長を有する紫外線である。すなわち、光触媒層１３に、短波長紫外線の波長以下で酸化作用を示す光触媒を用いることで、ＣＤ１０の光触媒層１３は太陽光によっては酸化作用を示さないため、太陽光を受ける環境下でＣＤ１０を取り扱う場合でも記録されたデータの消失を防ぐことができる。なお、第２光照射系２３が照射するデータ消去用の光は、光触媒層１３が酸化作用を示す光であれば短波長紫外線に限られず、たとえば、太陽光に含まれる２８０ｎｍ以上の波長を有する紫外線を用いてもよい。
【００３１】
また、第２光照射系２３は、ＣＤ１０の表面全体に光が照射されるように設定する。ＣＤ１０の表面全体に光が照射されるように設定することで、ＣＤ１０の有機色素記録層１２に記録されたデータを漏れなく一括に消去することができる。なお、第２光照射系２３は、ＣＤ１０の表面全体に光が照射されるように設定する場合に限らず、ＣＤ１０の有機色素記録層１２に接する光触媒層１３に全て光が照射されればよく、たとえば、ＣＤ１０の半径分の照射範囲とし、スピンドルモータ２２で回転させてＣＤ１０の表面全体に照射することもできる。
【００３２】
制御手段２４は、第１光照射系２１、スピンドルモータ２２および第２光照射系２３をそれぞれ制御するものであり、読取制御手段２４１と、消去制御手段２４２とを含む。なお、制御手段２４は、そのハードウェアとして、種々の演算および制御を行うためのＣＰＵ、データを一時的に格納するとともにデータ読み取り時、またはデータ消去時のワークエリアとして機能するＲＡＭ、制御プログラムを格納するＲＯＭ，および周辺回路から構成することができる。
【００３３】
読取制御手段２４１は、ＣＤ１０に記録されたデータを読み取る制御を実行する手段であり、ＣＰＵがＲＯＭやＲＡＭに格納される制御プログラムを実行し、各ハードウェアを制御することにより機能的に実現される。読取制御手段２４１は、たとえば、操作部２５からのユーザのデータ読み取り指令を受け付けて、第１光照射系２１およびスピンドルモータ２２を制御し、ＣＤ１０にデータ読み出し用のレーザ光を照射して有機色素記録層１２に記録されたデータを読み取る。第１光照射系２１が照射するデータ読み取り用のレーザ光は、光反射層１４で反射する波長を有する光であって、たとえば、７００ｎｍの波長を用いることができる。なお、読取制御手段２４１の機能および構成は、従来のＣＤ読取装置と同様にすることができるので、詳細な説明は省略する。
【００３４】
消去制御手段２４２は、ＣＤ１０に記録されたデータを消去する制御を実行する手段であり、ＣＰＵがＲＯＭやＲＡＭに格納される制御プログラムを実行し、各ハードウェアを制御することにより機能的に実現される。消去制御手段２４２は、たとえば、操作部２５からのユーザのデータ消去指令を受け付けて、第２光照射系２３を制御し、ＣＤ１０に向けて光触媒層１３が酸化作用を示すデータ消去用の光を一定時間照射して有機色素記録層１２に記録されたデータを消去する。なお、消去制御手段２４２は、たとえば、第２光照射系２３による一定時間光の照射後、読取制御手段２４１によってデータの読み取りが可能か否かを判断させ、データの読み取りが可能と判断された場合、再度、第２光照射系２３に一定時間光を照射させることもできる。また、光の照射時間は、ＣＤ１０の有機色素記録層１２および光触媒層１３の材質や厚みによって最適な時間にすることができる。
【００３５】
操作部２５は、読取消去装置２０の外部に設けられた操作パネルまたはリモートコントロールなどの操作手段であって、ユーザによる操作を受け付け、その受け付けた情報を制御手段２４に送る機能を有する。たとえば、操作部２５は、データ消去ボタンを有し、該データ消去ボタンがユーザによって押されることによって、読取消去装置２０のデータ消去処理が実行される。
【００３６】
以上のように構成される光記録媒体読取消去システム１００の動作方法を、以下に説明する。
【００３７】
まず、制御手段２４は、ＣＤ１０を受け付ける処理を実行する。すなわち、制御手段２４は、ユーザの操作のもと読取消去装置２０の内部にＣＤ１０を導入し、導入時処理（たとえば、ＣＤ情報の読み込み・表示など）を実行し、ユーザからの指示を待機する。
【００３８】
操作部２５からのユーザのデータ読み取り指令を受け付けた場合、制御手段２４は、ＣＤ１０に記録されたデータを読み取る処理を実行する。すなわち、制御手段２４は、操作部２５からのユーザの読み取り指令を受け付けることによって、第１光照射系２１およびスピンドルモータ２２の制御を実行する。なお、制御手段２４は、ユーザの読み取り指令を受け付けた場合に制御する場合に限られず、たとえば、ＣＤ１０を受け付けた段階で自動的にＣＤ１０に記録されたデータの読み取ることもできる。
【００３９】
操作部２５からのユーザのデータ消去指令を受け付けた場合、制御手段２４は、ＣＤ１０に記録されたデータを消去する処理を実行する。すなわち、制御手段２４は、操作部２５からのユーザの読み取り指令を受け付けることによって、第２光照射系２３から光触媒層１３が酸化作用を示すまでの一定時間、光を照射させることができる。なお、第２光照射系２３から照射される光として、上述したように、短波長紫外線を用いることができる。
【００４０】
本実施形態の光記録媒体読取消去システム１００によれば、ＣＤ１０が有機色素記録層１２に接して光触媒層１３を有しており、該ＣＤ１０に対して光触媒層１３が酸化作用を示す光を照射することによって、有機色素記録層１２を構成する有機色素を変質させ、ＣＤ１０に記録されたデータを一括で消去することができる。その結果、ＣＤのデータを消去する際の負担を軽減することができる。
【００４１】
なお、上述した読取消去装置は、特許請求の範囲に記載した消去装置の一例として説明した。消去装置の他の例として、たとえば、図３に示す構成から、読取用の光を照射させる構成（第１光照射系２１、読取制御手段２４１など）を除いたものを用いることもできる。
＜変形例１＞
以上のように本開示の好適な実施形態について説明したが、本開示は、以上の実施形態に限定されるべきものではなく、特許請求の範囲に表現された思想および範囲を逸脱することなく、種々の変形、追加、および省略が当業者によって可能である。
【００４２】
たとえば、上記実施形態では、読取装置２０に消去用の光を照射させる第２光照射系２３を設けることによって、ＣＤ１０のデータを消去する場合を説明したが、本開示はこれに限られず、読取装置２０に消去用の光を照射させる第２光照射系２３を用いずに、第１光照射系２１を用いてＣＤ１０のデータを消去することもできる。この場合、通常の読取機能を繰り返し使用することで、ＣＤ１０の有機色素触媒層１３が徐々に酸化され、記録されたデータを消去することができる。
＜変形例２＞
また、本実施形態では、読取装置２０によるＣＤ１０のデータ消去は、操作部２５からのユーザの読み取り指令を受け付けた場合にその動作処理を実行する場合を説明したが、本開示はこの場合に限られず、たとえば、ＣＤ１０を規定回数読み取った後、自動的にデータ消去の処理を実行することもできる。以下、この処理について、図４を用いて説明する。なお、各工程（符号が付与されていない部分的な工程を含む）は処理内容に矛盾を生じない範囲で任意に順番を変更して又は並列に実行することができる。また、本実施形態の変形例では、読取装置２０によって読み取り可能な最大読取回数（規定回数）をＣＤ１０に予め記録させておくものとし、さらに、読み取られた回数（再生回数）をＣＤ１０に読み書きすることができるものとする。規定回数は、たとえば、ＣＤ１０をレンタルするレンタル業者が予め決定することができる。
【００４３】
まず、制御手段２４は、ＣＤ１０を受け付け（ステップＳ１００）、操作部２５からのユーザのデータ読み取り指令を受け付けて、ＣＤ１０に読み取り用のレーザ光を照射し、記録されたデータを読み取る（再生する）（ステップＳ１０１）。次いで、制御手段２４は、ＣＤ１０に記録された再生回数および規定回数を読み取る（ステップＳ１０２）。次いで、制御手段２４は、再生回数に１を加える（ステップＳ１０３）。次いで、制御手段２４は、再生回数および規定回数を比較する（ステップＳ１０４）。比較した結果、再生回数が規定回数以上でない場合（ステップＳ１０４：Ｎｏ）、再生回数をＣＤ１０に上書きする（ステップＳ１０５）。なお、ＣＤ１０への上書きは、たとえば、第１光照射系２１に書き込み用のレーザ光を照射させることで行うことができる。
【００４４】
一方、上記比較した結果、読み取った再生回数が規定回数以上である場合（ステップＳ１０４：Ｙｅｓ）、制御手段２４は、ＣＤ１０に光触媒層１３が酸化作用を示すデータ消去用の光を照射し、記録されたデータを消去する（ステップＳ１０６）。
以上により本動作処理は終了する。
【００４５】
以上の本実施形態の変形例によれば、規定回数の読取（再生）後、自動的にコンテンツが消去されるので、ＣＤ１０の回収が不要となり、その結果、コンテンツを記録したＣＤのレンタルサービスにおいて、ＣＤの回収に伴う利用者やレンタル業者の負担を軽減することができる。
【００４６】
なお、本実施形態の変形例は、再生回数および規格回数をＣＤそのものに記憶される場合を説明したが、この場合に限られず、たとえば、ＣＤ１０に固有ＩＤを記録しておき、読取装置２０がネットワークを介してサーバに接続して固有ＩＤを通知し、サーバ上で固有ＩＤに対応づけて再生回数と規定回数とを記録し管理させることもできる。この場合、読取装置２０は、サーバから読取対象のＣＤ１０に応じて再生回数が規定回数に達したか否かの情報を受け取って上記判断を行うこともできる。
＜変形例３＞
さらに、本実施形態では、ＣＤ１０に含まれる光触媒層１３が、有機色素記録層１２と光反射層１４との間に設けた場合を説明したが、本開示はこれに限られず、光触媒層１３は有機記録層１２に接していればよく、たとえば、基板１１と有機色素記録層１２との間に設けてもよく、または、基板１１と有機色素記録層１２との間と、有機色素記録層１２と光反射層１４との間との両方の間に設けることもできる。
＜変形例４＞
なお、上記本実施形態および変形例では、光記録媒体としてＣＤを例にとって説明したが、本開示はこれに限られず、有機色素記録層を含む光記録媒体であれば適用でき、たとえば、デジタルヴァーサタイルディスク（ＤＶＤ）、ブルーレイディスク（ＢＤ）に適用できる。
【符号の説明】
【００４７】
１０  光記録媒体、
１１  基板、
１２  有機色素記録層、
１３  光触媒層、
１４  光反射層、
１５  保護層、
２０  読取消去装置、
１００  光記録媒体読取消去システム。
【図１】
2010238307.tif 000003
【図２】
2010238307.tif 000004
【図３】
2010238307.tif 000005
【図４】
2010238307.tif 000006
【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
基板上に有機色素記録層、光反射層が少なくとも積層されており、前記有機色素記録層に接して光触媒層が形成され、
前記光触媒層は、データ書き込み用の波長とは異なるデータ消去用の波長を有する光の照射によって酸化作用を示し、該酸化作用により前記光触媒層に接する有機色素記録層に記録されたデータを消失する、光記録媒体。
【請求項２】
前記光触媒層は、短波長紫外線を当てることにより酸化作用を示す、請求項１に記載の光記録媒体。
【請求項３】
基板上に有機色素記録層、光反射層が少なくとも積層されており、前記有機色素記録層に接して光触媒層が形成される光記録媒体に記録された情報の消去装置であって、
データ書き込み用の波長とは異なるデータ消去用の波長を有する光であって、前記光触媒層が酸化作用を示す光を前記光記録媒体に照射して前記有機色素記録層に記録されたデータを消去する消去手段を有する消去装置。
【請求項４】
前記消去手段は、ユーザからの照射指示を受け付けて、前記光記録媒体に前記光を照射して前記有機色素記録層に記録されたデータを消去する、請求項３に記載の消去装置。
【請求項５】
前記消去手段は、前記光記録媒体が規定回数読み取られた後、前記光記録媒体に前記光を照射して前記有機色素記録層に記録されたデータを消去する、請求項３に記載の消去装置。
【請求項６】
基板上に有機色素記録層、光反射層が少なくとも積層されており、前記有機色素記録層に接して光触媒層が形成される光記録媒体に記録された情報の消去方法であって、
データ書き込み用の波長とは異なるデータ消去用の波長を有する光であって、前記光触媒層が酸化作用を示す光を前記光記録媒体に照射する、
ことを含む消去方法。                                                                            
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
基板上に有機色素記録層、光反射層が少なくとも積層されており、前記有機色素記録層に接して光触媒層が形成される光記録媒体に記録された情報の消去装置であって、
データ書き込み用の波長とは異なるデータ消去用の波長を有する光であって、前記光触媒層が酸化作用を示す光を前記光記録媒体に照射して前記有機色素記録層に記録されたデータを消去する消去手段を有する消去装置。
【請求項２】
前記消去手段は、ユーザからの照射指示を受け付けて、前記光記録媒体に前記光を照射して前記有機色素記録層に記録されたデータを消去する、請求項１に記載の消去装置。
【請求項３】
前記消去手段は、前記光記録媒体が規定回数読み取られた後、前記光記録媒体に前記光を照射して前記有機色素記録層に記録されたデータを消去する、請求項１に記載の消去装置。
【請求項４】
基板上に有機色素記録層、光反射層が少なくとも積層されており、前記有機色素記録層に接して光触媒層が形成される光記録媒体に記録された情報の消去方法であって、
データ書き込み用の波長とは異なるデータ消去用の波長を有する光であって、前記光触媒層が酸化作用を示す光を前記光記録媒体に照射する、
ことを含む消去方法。